Podtech/llm-jp-corpus-v4-ja_patent huggingface dataset:
(57)【特許請求の範囲】
【請求項１】
電子弦楽器本体のピックアップで出力される電気信号をコイルに通電することにより振動に変換し、前記変換された振動を電子弦楽器本体とは別のピックアップにて再度取得した上出力し、音色を変換することを特徴とした装置。
【発明の詳細な説明】
【技術分野】
【０００１】  本発明は、電子弦楽器の電気信号を変換するための装置に関する。
【背景技術】
【０００２】  従来、電子弦楽器のピックアップは本体に固定されているもので、気軽に付け替えることが難しかった。
【発明の概要】
【発明が解決しようとする課題】
【０００３】  これは次のような欠点があった。
ピックアップは電子弦楽器本体に組み込まれているため、ピックアップを変えるには専門のものに依頼するか、別の電子弦楽器を使う必要があった。
本発明は以上のような欠点をなくし、幅広い音色を気軽に再現するためになされた。
【課題を解決するための手段】
【０００４】  本発明は、ピックアップから出力される電気信号を振動に変換し、再度ピックアップが拾い音色を変換する。
本発明は以上の構成よりなるピックアップ変換装置である
【発明の効果】
【０００５】  本発明は従来電子弦楽器を変えるか、ピックアップを交換しないと出来なかったピックアップの変更が気軽にでき、それによって幅広い音色を得ることが可能になった。
【発明を実施するための形態】
【０００６】  以下、本発明を実施するための最良の形態について説明する。
コイル（１）とその周りに磁石（２）を設ける。そこに電子弦楽器から出力された電気信号を通電し、
そこで発生した振動をピックアップ（３）で取得し、出力する。
本発明は以上のような構造である。
【図面の簡単な説明】
【０００７】
【図１】図１はピックアップ変換装置の説明図である。
【符号の説明】
【０００８】１    コイル
２    磁石
３    ピックアップ
【図１】
0006216981.tif 000002
(57)【特許請求の範囲】
【請求項１】
0006139674.tif 000052
0006139674.tif 000053
0006139674.tif 000054
（数１）
0006139674.tif 000055
（数３）
0006139674.tif 000056
（数４）
0006139674.tif 000057
（数８）
0006139674.tif 000058
（数１３）
0006139674.tif 000059
【請求項２】
0006139674.tif 000060
（数４）
0006139674.tif 000061
【請求項３】
0006139674.tif 000062
【請求項４】
0006139674.tif 000063
0006139674.tif 000064
0006139674.tif 000065
（数１）
0006139674.tif 000066
（数４）
0006139674.tif 000067
（数８）
0006139674.tif 000068
（数１３）
0006139674.tif 000069
【請求項５】
0006139674.tif 000070
【請求項６】
0006139674.tif 000071
【請求項７】
0006139674.tif 000072
【発明の詳細な説明】
【技術分野】
【０００１】
本発明は通信技術分野に関し、特にＡＣＫ/ＮＡＣＫフィードバック・ビット数の確定方法及び装置に関する。
【背景技術】
【０００２】
0006139674.tif 000002
【０００３】
0006139674.tif 000003
【０００４】
0006139674.tif 000004
0006139674.tif 000005
0006139674.tif 000006
【発明の概要】
【発明が解決しようとする課題】
【０００５】
0006139674.tif 000007
【０００６】
0006139674.tif 000008
【課題を解決するための手段】
【０００７】
0006139674.tif 000009
【０００８】
0006139674.tif 000010
【発明の効果】
【０００９】
0006139674.tif 000011
【図面の簡単な説明】
【００１０】
【図１】帯フィールド間キャリアアグリゲーションを示す図である。
【図２】本発明に係る実施例の方法フローチャートである。
【図３】本発明の１種の応用シナリオにおける基地局側のリソースを示す図である。
【図４】本発明の１種の応用シナリオ中端末側のリソースを示す図である。
【図５】本発明の他の１種の応用シナリオにおけるリソースを示す図である。
【図６】本発明の装置構造図である。
【発明を実施するための形態】
【００１１】
0006139674.tif 000012
0006139674.tif 000013
0006139674.tif 000014
0006139674.tif 000015
【００１２】
0006139674.tif 000016
【００１３】
0006139674.tif 000017
0006139674.tif 000018
【００１４】
0006139674.tif 000019
0006139674.tif 000020
【００１５】
0006139674.tif 000021
【００１６】
0006139674.tif 000022
0006139674.tif 000023
0006139674.tif 000024
0006139674.tif 000025
0006139674.tif 000026
0006139674.tif 000027
【００１７】
0006139674.tif 000028
【００１８】
0006139674.tif 000029
0006139674.tif 000030
0006139674.tif 000031
0006139674.tif 000032
0006139674.tif 000033
0006139674.tif 000034
0006139674.tif 000035
0006139674.tif 000036
0006139674.tif 000037
0006139674.tif 000038
0006139674.tif 000039
0006139674.tif 000040
0006139674.tif 000041
0006139674.tif 000042
0006139674.tif 000043
【００１９】
0006139674.tif 000044
0006139674.tif 000045
0006139674.tif 000046
0006139674.tif 000047
0006139674.tif 000048
0006139674.tif 000049
0006139674.tif 000050
【００２０】
0006139674.tif 000051
【図１】
0006139674.tif 000073
【図２】
0006139674.tif 000074
【図３】
0006139674.tif 000075
【図４】
0006139674.tif 000076
【図５】
0006139674.tif 000077
【図６】
0006139674.tif 000078